(57)【要約】【課題】簡単な手段で、１種類の薬剤収納ケースを、前面クローズ型から前面オープン型へ、またその逆へと容易に変更しうる薬剤収納ケースを提供する。【解決手段】底板４の前部に、上面が後方から前上方に向かって漸次傾斜する薬剤取出し面８ａをなすスライド案内部８を上向きに突設し、このスライド案内部８の上方と左右の側板５の前端部の対向面間に形成される前面開口部に、この前面開口部を閉塞する前面板１７を、縦溝１６をもって、前後方向へ移動不能かつ上方より着脱可能として装着する。【選択図】  図３
2015154897.tif 000002
【特許請求の範囲】
【請求項１】
底板と左右１対の側板と後面板とを備え、それらにより囲まれた内部を、上面と前面が開口する薬剤収納部とした薬剤収納ケースにおいて、
前記底板の前部に、後方から前上方に向かって傾斜する薬剤取出し用のスライド案内部を設け、このスライド案内部の上方と前記左右の側板の前端部の対向面間に形成される前面開口部に、この前面開口部を閉塞する前面板を、前記側板と前面板との対向部に設けた保持手段をもって、前後方向へ移動不能かつ上方より着脱可能として装着したことを特徴とする薬剤収納ケース。
【請求項２】
保持手段を、左右の側板と前面板との対向面のいずれか一方に設けられた縦溝と、同じく他方に設けられ、前記縦溝に着脱可能に嵌合される上下方向の突条とからなるものとした請求項１に記載の薬剤収納ケース。
【請求項３】
前面板に突条を、側板に縦溝を設けた場合には、それらの前後寸法を上方から下方に向かって漸次小としてなる請求項２に記載の薬剤収納ケース。
【請求項４】
前面板に縦溝を、側板に突条を設けた場合には、それらの前後寸法を、上方から下方に向かって漸次大としてなる請求項２に記載の薬剤収納ケース。
【請求項５】
スライド案内部の上面に、上方に開口する左右方向の横溝を、両側端が左右の側板に設けた縦溝の下端部と連続するように設け、前記横溝に、前面板の下部を着脱可能に嵌合してなる請求項２〜４のいずれかに記載の薬剤収納ケース。
【請求項６】
横溝とそれに嵌合される前面板の下部の前後寸法を、上方から下方に向かって漸次小としてなる請求項５に記載の薬剤収納ケース。
【請求項７】
横溝の内壁とそれに対向する前面板の下端部とのいずれか一方に弾性係合片を、同じく他方に、前記弾性係合片が弾性係合しうる係合凹部を設けてなる請求項５または６に記載の薬剤収納ケース。
【請求項８】
弾性係合片における係合凹部と弾性係合する上縁を、前記係合凹部に向かって斜め下向きに傾斜する傾斜面としてなる請求項７に記載の薬剤収納ケース。
【発明の詳細な説明】
【技術分野】
【０００１】
本発明は、錠剤を包装した錠剤ブリスターパックやアンプル剤、外用薬等の薬剤を収納して、病院の薬局や調剤薬局等において使用される薬剤収納ケースに関する。
【背景技術】
【０００２】
このような薬剤収納ケースは、多種の薬剤を調剤什器における多段状の棚に収容して使用されるもので、この薬剤収納ケースには、大別して、上面のみが開口され、薬剤を取り出す際に棚より引き出して使用される前面クローズ型のもの(例えば特許文献１参照)と、上面と前面が大きく開口し、棚に収容した状態で、薬剤を取り出しうるようになっている前面オープン型のもの(例えば特許文献２参照)とがある。
【先行技術文献】
【特許文献】
【０００３】
【特許文献１】実用新案登録第３１６４７５９号公報
【特許文献２】特開２００６−１５８５８７号公報
【発明の概要】
【発明が解決しようとする課題】
【０００４】
上記特許文献１及び２に記載されている薬剤収納ケースは、いずれも、前面クローズ型から前面オープン型へ、または前面オープン型から前面クローズ型へ変換して使用することはできないため、各型の薬剤収納ケースを、薬剤の種類や用途等に応じて、使い分けていた。そのため、使い勝手が悪いだけでなく、複数種類の薬剤収納ケースを用意する必要があり、経費が嵩むこととなっている。
【０００５】
本発明は、上記問題点に鑑みてなされたもので、１種類の薬剤収納ケースを、前面クローズ型から前面オープン型へ、またその逆へ、簡単かつ容易に変更しうるようにした、低コストの薬剤収納ケースを提供することを目的としている。
【課題を解決するための手段】
【０００６】
本発明によると、上記課題は、次の各項のようにして解決される。
（１）底板と左右１対の側板と後面板とを備え、それらにより囲まれた内部を、上面と前面が開口する薬剤収納部とした薬剤収納ケースにおいて、前記底板の前部に、後方から前上方に向かって傾斜する薬剤取出し用のスライド案内部を設け、このスライド案内部の上方と前記左右の側板の前端部の対向面間に形成される前面開口部に、この前面開口部を閉塞する前面板を、前記側板と前面板との対向部に設けた保持手段をもって、前後方向へ移動不能かつ上方より着脱可能として装着する。
【０００７】
このような構成によると、薬剤収納部の上面と前面が開口された前面オープン型の薬剤収納ケースの前面開口部に、前面板を、前後方向へ移動不能かつ着脱可能として装着し、その部分を閉塞することにより、前面開口部が閉塞された前面クローズ型の薬剤収納ケースに容易に変更することができる。また、前面板を取り外せば、再度前面オープン型の薬剤収納ケースに変更して使用することができる。すなわち、１種類の薬剤収納ケースを、前面オープン型から前面クローズ型へ、またその逆へ、容易に変更することができるので、従来のように、前面オープン型と前面クローズ型との２種類の薬剤収納ケースを製作しておき、それらを、収納する薬剤の種類や用途等に応じて使い分ける必要がなく、使い勝手がよくなるとともに、コスト的に有利となる。
【０００８】
（２）上記(１)項において、保持手段を、左右の側板と前面板との対向面のいずれか一方に設けられた縦溝と、同じく他方に設けられ、前記縦溝に着脱可能に嵌合される上下方向の突条とからなるものとする。
【０００９】
このような構成によると、縦溝に突条を、または突条に凹溝を上方より嵌合するだけで、前面板を、前面開口部に、前後方向へ移動不能に位置決めして、かつ上方より着脱可能として容易に装着することができる。
【００１０】
（３）上記(２)項において、前面板に突条を、側板に縦溝を設けた場合には、それらの前後寸法を上方から下方に向かって漸次小とする。
【００１１】
このような構成によると、側板に設けた縦溝に、前面板に設けた突条を、上方から容易に嵌合しうるので、左右の側板への前面板の装着も容易となる。
【００１２】
（４）上記(２)項において、前面板に縦溝を、側板に突条を設けた場合には、それらの前後寸法を、上方から下方に向かって漸次大とする。
【００１３】
このような構成によると、側板に設けた突条に、前面板に設けた縦溝を、上方から容易に嵌合しうるので、左右の側板への前面板の装着も容易となる。
【００１４】
（５）上記(２)〜(４)項のいずれかにおいて、スライド案内部の上面に、上方に開口する左右方向の横溝を、両側端が左右の側板に設けた縦溝の下端部と連続するように設け、前記横溝に、前面板の下部を着脱可能に嵌合する。
【００１５】
このような構成によると、左右の側板の縦溝により前面板の両側部が、スライド案内部の横溝により前面板の下部が、それぞれ前後方向へ移動不能に保持されるので、薬剤収納ケースの前面開口部に、前面板を安定よく装着することができる。しかも、横溝は、上向きに突出するスライド案内部に設けてあるので、横溝の深さを深くして、前面板の下部の嵌合代を大とすることができ、それによって、前面板が安定よく保持される。その結果、前面板を掴んで薬剤収納ケースを薬剤什器等に出し入れしても、前面板が大きく撓んで破損したり、外れたりするおそれがなくなる。
【００１６】
（６）上記(５)項において、横溝とそれに嵌合される前面板の下部の前後寸法を、上方から下方に向かって漸次小とする。
【００１７】
このような構成とすると、横溝が上方に拡開するので、横溝に、前面板の下部を、上方から容易に嵌合することができる。
【００１８】
（７）上記(５)または(６)項において、横溝の内壁とそれに対向する前面板の下端部とのいずれか一方に弾性係合片を、同じく他方に、前記弾性係合片が弾性係合しうる係合凹部を設ける。
【００１９】
このような構成によると、前面板を掴んで薬剤収納ケースを薬剤什器等に出し入れしても、前面板が横溝より上方へ抜け外れるのが防止される。
【００２０】
（８）上記(７)項において、弾性係合片における係合凹部と弾性係合する上縁を、前記係合凹部に向かって斜め下向きに傾斜する傾斜面とする。
【００２１】
このような構成によると、前面板を強く引き上げると、弾性係合片が係合凹部から離間する方向に弾性変形し、それらの係合が解除されるので、前面板を横溝より抜き外すことができる。
【発明の効果】
【００２２】
本発明によると、簡単な手段で、前面クローズ型から前面オープン型へ、またその逆へ容易に変更しうるようになっている低コストの薬剤収納ケースが提供される。
【図面の簡単な説明】
【００２３】
【図１】本発明の薬剤収納ケースを多数収容した薬剤什器の斜視図である。
【図２】本発明の第１の実施形態に係る薬剤収納ケースにおける前面板装着前の斜視図である。
【図３】同じく、前面板装着後の薬剤収納ケースの斜視図である。
【図４】同じく、前面板装着前の薬剤収納ケースの拡大平面図である。
【図５】図４のV−V線縦断側面図である。
【図６】図４のVI−VI線縦断側面図である。
【図７】図４のVII−VII線縦断正面図である。
【図８】図３のVIII−VIII線拡大縦断側面図である。
【図９】図８のIX−IX線横断平面図である。
【図１０】側板と前面板とに設けた保持手段の変形例を示す要部の横断平面図である。
【図１１】同じく、他の変形例を示す要部の横断平面図である。
【図１２】同じく、他の変形例を示す要部の横断平面図である。
【図１３】第２の実施形態に係る薬剤収納ケースにおける仕切板装着前の斜視図である。
【図１４】同じく、仕切板装着後の薬剤収納ケースの斜視図である。
【図１５】図１４のXV−XV線拡大縦断側面図である。
【図１６】図１５のXVI−XVI線縦断正面図である。
【発明を実施するための形態】
【００２４】
以下、本発明の実施形態を、図面に基づいて説明する。
図１は、薬剤什器１を斜め前方より見た斜視図で、上下複数段の棚板２上には、本発明の第１の実施形態に係る多数の薬剤収納ケース３が、前方に引き出し可能として載置されている
【００２５】
図２〜図９に示すように、薬剤収納ケース３は、底板４と左右１対の側板５、５と後面板６とを備えているが、前面板を備えていない前面オープン型のもので、合成樹脂等により一体成形されている。底板４、左右の側板５、５及び後面板６により囲まれている内部空間は、上面及び前面が開口する薬剤収納部７となっている。この前面オープン型の薬剤収納ケース３は、これを薬剤什器１に収容した状態のままでも、薬剤収納部７に収納された錠剤ブリスターパックやアンプル剤、外用薬等の各種薬剤を、後述するスライド案内部８の薬剤取出し面８ａに沿って、前方から取り出すことができるようになっている。なお、左右の側板５と後面板６は、下方から上方に向かって若干外方に拡開するように傾斜させてある。そのため、複数の薬剤収納ケース３を、積み重ねて持ち運ぶことができる。
【００２６】
底板４の前部には、後半部の上面を、後方から前上方に向かって漸次円弧状に傾斜する薬剤取出し面８ａとし、かつ前半部の上面を平坦な受止面８ｂとした上向きのスライド案内部８が、左右の側板５の前端よりも前方に突出するように、かつ両側面と前面が両側板５の前下部と連続するようにして、底板４と一体的に形成されている。なお、スライド案内部８の下面は、下方に開口している(図６参照)。
【００２７】
図４〜図６に示すように、スライド案内部８の前端部には、薬剤名等を記したネームプレート等(図示略)を差し込むことができる側面視凵状断面の左右方向のプレート差込溝９が形成されている。また、左右の側板５の前端よりもやや後方で、かつ薬剤取出し面８ａの前端と近接する部分において、薬剤収納ケース３の平坦をなす上面には、後述する前面板１７の下部を上方より着脱可能に嵌合しうる、側面視凹状の左右方向の横溝１０が形成されている。さらに、プレート差込溝９と横溝１０間において、スライド案内部８の下面には、薬剤収納ケース３を薬剤什器１より引き出す際の上向き凹状断面の手掛け部１１が形成されている。プレート差込溝９と横溝１０は、スライド案内部８の前端部と中間部とを、側面視凹状断面をなすように下向きに折曲成形することにより形成されている。なお、横溝１０の前後幅は、後述する前面板１７の下部が上方より容易に嵌合しうるように、上方から下方に向かって漸次小としてある。
【００２８】
底板４の両側端部と中央部の上面には、上方に開口する前後方向の仕切板差込溝１２が、前部が薬剤取出し面８ａの前端部まで達するようにして、底板４の後端まで設けられている。各仕切板差込溝１２は、溝の深さを大として仕切板の下端部を安定よく保持するために、底板４の左右両側部と中央部とを、後端から薬剤取出し面８ａの前端付近まで、正面視凹状断面をなすように下向きに折曲成形することにより形成されている(図５、図７参照)。
【００２９】
後面板６の前面の中央部には、後面板６よりも低寸の上下方向を向く左右１対のガイド突条１３、１３が一体的に内向きに突設され、両ガイド突条１３の対向面間には、前方及び上方に開口する仕切用縦溝１４が、下端が底板４の中央部の仕切板差込溝１２と連続するようにして形成されている。この仕切板差込溝１２と仕切用縦溝１４に、図示を省略した仕切板の下端部と後端部を上方より嵌合することにより、薬剤収納部７を左右に仕切ることができようになっている。
【００３０】
左右の側板５、５の内面には、上記ガイド突条１３と同形をなす前後１対の複数のガイド突条１３、１３が、前後方向に等間隔をもって、かつ左右に対向するようにして突設され、近接するガイド突条１３、１３の対向面間には、内方及び上方に開口する仕切用縦溝１４が左右対向状に形成されている。左右に対向する各仕切用縦溝１４に、図示を省略した仕切板の両側端部を上方より嵌合することにより、薬剤収納部７を前後複数に仕切ることができる。なお、各仕切用縦溝１４の前後幅は、上方に拡開するように、上方から下方に向かって漸次小として、仕切板を仕切用縦溝１４に上方から容易に嵌合しうるようにしてある。
【００３１】
左右の側板５、５の前端部の内面には、スライド案内部８の上端から側板５の上端付近まで達する長さの前後１対のガイド突条１５、１５が、左右対向して内向きに突設され、左右のガイド突条１５、１５の対向面間には、内方及び上方に開口し、かつ下端が上記横溝１０に連続する縦溝１６、１６が、左右対向状に形成されている。縦溝１６の前後幅は、上方に拡開するように、上方から下方に向かって漸次小とされ、後述する前面板１７の両側端部を上方から容易に嵌合しうるようにしてある。なお、側板５の前端内側面にガイド突条１５、１５を内向きに突設し、両ガイド突条１５の対向面間に縦溝１６を形成してあるため、厚さの薄い側板５を加工して縦溝１６を形成する場合に比して、その深さを大とすることができ、後述するようにして縦溝１６に嵌合される前面板１７の側端部が、安定よく保持される。
【００３２】
図２、図３、図８及び図９に示すように、左右の側板５、５の前端部に設けた縦溝１６、１６、及びスライド案内部８に設けた横溝１０には、薬剤収納部７の前面開口部を閉塞する合成樹脂等よりなる前面板１７の両側端部と下部が、前後方向に位置決めされて、かつ上方から着脱しうるようにして嵌合されている。前面板１７の高さは、側板５の高さとほぼ等しく、かつその厚さは、上方から下方に向かって漸次小とされ、全体がほぼ楔状断面をなしている。
【００３３】
前面板１７の形状及び厚さは、縦溝１６及びそれに連続する横溝１０に適正に嵌合しうるように定めてあり、縦溝１６と横溝１０に嵌合された前面板１７が、前後方向にがたつかないようにしてある。なお、左右の側板５に設けた縦溝１６と、それに嵌合される前面板１７の側端部とにより、本発明の保持手段が構成されている。この実施形態では、前面板１７の側端部が、縦溝１６に嵌合される突条に相当する。
【００３４】
前面板１７の中央下部に設けた方形孔１８内には、下端から前上方に向かって起立する、後方に弾性変形可能な弾性係合片１９が、前面板１７と一体的に形成されている。
【００３５】
前面板１７の両側縁部を左右の縦溝１６、１６に、また同じく下縁部をスライド案内部８における横溝１０に、それぞれ上方より嵌合すると、弾性係合片１９の上縁１９ａが、横溝１０内において、その前壁１０ａの中央部に形成された係合孔２０の上縁２０ａに弾性係合する。これにより、前面板１７は、上方へ抜け止めされる。なお、係合孔２０の代わりに、後面が前方に向かって凹入する係合凹部を設け、この係合凹部の上縁に弾性係合片１９の上縁１９ａが弾性係合するようにしてもよい。
【００３６】
図８に示すように、弾性係合片１９の上縁１９ａは、係合孔２０に向かって斜め前下方に傾斜する傾斜面としてある。これにより、前面板１７を強く引き上げたとき、弾性係合片１９の上縁１９ａが係合孔２０の上縁２０ａに沿って斜め後上方に摺動し、それに伴って、弾性係合片１９が後向きに弾性変形することにより、弾性係合片１９と係合孔２０との係合が解除され、前面板１７を縦溝１６及び横溝１０より抜き外すことができる。なお、スライド案内部８の下方の手掛け部１１の下方より係合孔２０内に手を差し入れ、弾性係合片１９を後方へ弾性変形させることによっても、弾性係合片１９と係合孔２０との係合を解除することができる。なお、この例とは反対に、弾性係合片１９を前壁１０ａ側に、後下方を向くように設けるとともに、係合孔２０を前面板１７の下部に設け、横溝１０に前面板１７を嵌合したとき、弾性係合片１９の下縁が係合孔２０の下縁に弾性係合するようにしてもよい。
【００３７】
以上説明したように、上記第１の実施形態においては、薬剤収納部７の上面と前面が開口する前面オープン型の薬剤収納ケース３の前面開口部、すなわち、スライド案内部８の上方と、左右の側板５の前端部の対向面間に形成される前面開口部に、前面板１７を装着してその部分を閉塞することにより、図３に示すように、薬剤収納部７の前面が閉塞され、上面のみが開口する薬剤収納ケース、すなわち、薬剤を取り出す際に、薬剤什器１より前方に引き出して使用する前面クローズ型薬剤収納ケース２１に容易に変更することができる。また、前面板１７を取り外せば、再度前面オープン型の薬剤収納ケース３に変更して使用することができる。すなわち、１種類の薬剤収納ケースを、前面オープン型から前面クローズ型へ、またその逆へ、容易に変更することができる。従って、従来のように、前面オープン型と前面クローズ型との２種類の薬剤収納ケースを製作しておき、それらを、収納する薬剤の種類や用途の変更等に応じて使い分ける必要がなく、使い勝手がよくなるとともに、コスト的に有利となる。
【００３８】
薬剤収納ケース３の前面開口部に前面板１７を装着した状態では、前面板１７の両側端部と下部が、それぞれ左右の側板５の縦溝１６とスライド案内部８の横溝１０とにより、前後方向へ移動不能に位置決めされて保持され、かつ弾性係合片１９により、上方へも抜け止めされるので、前面開口部が前面板１７により閉塞された強固な前面クローズ型の薬剤収納ケース２１とすることができる。しかも、前面板１７の下部が嵌合される横溝１０は、底板６の前端部の上向きに突出するスライド案内部８に設けてあるので、横溝１０の深さを実施例のように深くして、前面板１７の下部の嵌合代を大とすることができ、それによって、前面板１７は安定よく保持される。そのため、前面板１７を掴んで薬剤収納ケース２１を薬剤什器１に出し入れしたとしても、前面板１７が大きく撓んで破損したり、外れたりすることがない。
なお、前面板１７に設けた弾性係合片１９、及び縦溝１６に設けた係合孔２０を省略して実施することもある。
【００３９】
図１０〜図１２は、前面板１７の保持手段の変形例を示す拡大断面図である。なお、左右対称であるため、左側のみについて図示する。
図１０は、上記のようなガイド突条１５を省略して、側板５の内面に、前面板１７の側端部を嵌合しうる縦溝１６を設けたものである。
【００４０】
図１１は、側板５の内面に、前後幅の小さな縦溝１６を設けるとともに、前面板１７の側端面に、縦溝１６に上方から嵌合しうる上下方向の突条２２を設け、これら縦溝１６と突条２２とにより、前面板１７の保持手段を構成したものである。
【００４１】
図１２は、側板５の内面に突条２２を、前面板１７の側端面に、突条２２に上方から嵌合しうる縦溝１６を設けたものである。
なお、図１０及び図１１に示す例においても、上記と同様に、縦溝１６とそれに嵌合される前面板１７の側端部、及び突条２２の前後寸法を、上方から下方に向かって漸次小とするのがよい。また、図１２に示す変形例においては、縦溝１６とそれに嵌合される突条２２の前後寸法を、上方から下方に向かって漸次大とするのがよい。このようにすることにより、前面板１７を凹溝１６及び突条２２に、上方より容易に嵌合することができる。
【００４２】
図１３〜図１６は、第２の実施形態に係る薬剤収納ケース２３を示すもので、この薬剤収納ケース２３は、上記第１の実施形態と同形をなす前面オープン型の薬剤収納ケース３における薬剤収納部７内に、例えば薬剤の効能や注意事項、服用方法等の薬剤情報が記載された添付書等の紙箋類２４を収容して保管しておく紙箋類収納部２５を設けたものである。なお、上記第１の実施形態と同様の部材には、同じ符号を付して、その詳細な説明は省略する。
【００４３】
薬剤収納ケース３の底板４に設けた、左側の側板５の内面と近接する仕切板差込溝１２の前半部に、上下寸法と前後寸法が側板５のそれの概ね半分の長さとした仕切板２６の下端部を嵌合することにより、側板５と仕切板２６の対向面間に形成される狭小空間を、前後両方向と上方に開口する紙箋類収納部２５としてある。
【００４４】
図１６に示すように、仕切板２６の下端部は、底板４を正面視凹状断面をなすように下向きに折曲して形成された仕切板差込溝１２に深めに嵌合され、しかも、仕切板差込溝１２は、図１５に示すように、上方を向くスライド案内部８の薬剤取出し面８ａまで形成され、その部分において仕切板差込溝１２は深くなっているので、仕切板２６の前下部が、仕切板差込溝１２に深く嵌合される。そのため、仕切板２６の下端部が、仕切板差込溝１２により安定よく保持されるので、左右方向にぐらついたり、外れたりするおそれは小さい。
【００４５】
このように、上面と前面が開口された前面オープン型の薬剤収納ケース３における薬剤収納部７内の側端部を、仕切板２６により左右に仕切り、この仕切板２６と側板５との対向面間に、紙箋類収納部２５を設けたことにより、紙箋類収納部２５への紙箋類２４の出し入れが容易となる。すなわち、紙箋類２４を手に取って見たいときには、薬剤什器１に薬剤収納ケース２３を収納した状態で、前方から、または薬剤収納ケース２３を若干引き出して、上方から速やかに取り出すことができるので、使い勝手がよい。
【００４６】
また、紙箋類収納部２５は、薬剤収納部７内の側端部、すなわち、側板５の内面に寄せて設けてあるので、薬剤収納部７内の薬剤収納領域を大きく狭めたり、薬剤取り出し時の妨げになったりすることはない。
【００４７】
さらに、薬剤収納部７の前面開口部が開口されているので、薬剤収納部７内の薬剤の残量等を、前方から容易に確認することができる。
【００４８】
紙箋類収納部２５の下部前面は、上向きのスライド案内部８により塞がれているので、紙箋類収納部２５内に収容した紙箋類２４が前方に突出したり、落下したりするおそれはなく、かつ前上方に傾斜する薬剤取出し面８ａに沿って、紙箋類２４をスムーズに取り出すことができる。
【００４９】
なお、第２の実施形態に係る薬剤収納ケース２３において、仕切板２６を、右側の側板５と近接する仕切板差込溝１２に嵌合してもよく、また、仕切板２６を、左右両側部の仕切板差込溝１２、１２にそれぞれ嵌合し、薬剤収納部７内の両側に紙箋類収納部２５を形成するようにしてもよい。
【００５０】
また、第２の実施形態では、仕切板差込溝１２を、後面板６まで達する長さとしたが、仕切板２６の前後寸法とほぼ等しい長さとしてもよい。
【００５１】
さらに、第２の実施形態では、仕切板２６の前後寸法を、仕切板差込溝１２よりも短寸としたが、その前後寸法を、仕切板差込溝１２と等しい長さ、すなわち後面板６に達する長さとして、側板５との間に、前後方向に長い紙箋類収納部２５を形成するようにしてもよい。この際には、後面板６の側端部の前面に、中央部に設けたものと同様の左右１対のガイド突条１３、１３を、仕切用縦溝１４の下端が仕切板差込溝１２と連続するように設け、ガイド突条１３の仕切板差込溝１２に、長寸とした仕切板２６の後端部を嵌合すれば、前後寸法の長い仕切板２６であっても、これを安定よく保持することができる。
【００５２】
なお、図１４の２点鎖線で示すように、左右の側板５の縦溝１６とスライド案内部８の横溝１０に、第１の実施形態と同様の前面板１７を嵌合して、上面のみが開口する前面クローズ型の薬剤収納ケースとし、その薬剤収納部７の側端部に仕切板２６を装着して、紙箋類収納部２５を形成するようにしてもよい。この際にも、紙箋類収納部２５への紙箋類２４の出し入れは、薬剤什器１より薬剤収納ケースを引き出して、上方から容易に行うことができる。
【符号の説明】
【００５３】
１  薬剤什器
２  棚板
３  薬剤収納ケース
４  底板
５  側板
６  後面板
７  薬剤収納部
８  スライド案内部
８ａ  薬剤取出し面
８ｂ  受止面
９  プレート差込溝
１０  横溝
１０ａ  前壁
１１  手掛け部
１２  仕切板差込溝
１３  ガイド突条
１４  仕切用縦溝
１５  ガイド突条
１６  縦溝
１７  前面板
１８  方形孔
１９  弾性係合片
１９ａ  上縁
２０  係合孔
２０ａ  上縁
２１  前面クローズ型薬剤収納ケース
２２  突条
２３  薬剤収納ケース
２４  紙箋類
２５  紙箋類収納部
２６  仕切板
【図１】
2015154897.tif 000003
【図２】
2015154897.tif 000004
【図３】
2015154897.tif 000005
【図４】
2015154897.tif 000006
【図５】
2015154897.tif 000007
【図６】
2015154897.tif 000008
【図７】
2015154897.tif 000009
【図８】
2015154897.tif 000010
【図９】
2015154897.tif 000011
【図１０】
2015154897.tif 000012
【図１１】
2015154897.tif 000013
【図１２】
2015154897.tif 000014
【図１３】
2015154897.tif 000015
【図１４】
2015154897.tif 000016
【図１５】
2015154897.tif 000017
【図１６】
2015154897.tif 000018